(57)【要約】【課題】マイコンなどのＣＰＵに負荷を与えることなく表示データの転送を行え、表示パネルに表示できる表示装置、表示システム、表示プログラム及び表示方法を提供する。【解決手段】表示データの転送を行うＣＰＵ３とＣＰＵ３からの転送を受けて表示パネル１１に表示する表示装置１０とを備え、表示装置１０は、所定サイズのメモリー空間を有するメモリー部１２と、メモリー空間を複数の領域に区分けする領域指定部１６ａと、領域指定部１６ａにより区分けされた領域のうち少なくとも一方を非表示対象領域とし、他方を表示対象領域として割当てを行い、所定のタイミングで該割当てを切り替える切替制御部１６ｂとを備える。切替制御部１６ｂは、ＣＰＵ３から転送データと共に送信された書込手順及び書込先アドレスに従い、非表示領域として割り当てられている該当領域に対し転送データを書き込む。【選択図】図１
2009092782.tif 000002
【特許請求の範囲】
【請求項１】
所定の画素数を有する表示パネルと、所定サイズのメモリー空間を有するメモリー部と、制御部と、を備え、
上記制御部には、
上記メモリー空間内を複数の領域に分けて指定する領域指定部と、
上記領域指定部により指定された第１領域及び第２領域に対し、一方の領域を非表示対象領域とし、他方の領域を表示対象領域として割当てを行い、所定のタイミングで該割当てを切り替える切替制御部と、
を有することを特徴とする、表示装置。
【請求項２】
前記メモリー空間は、前記表示パネルの２画面分以上のデータ量を格納できるサイズを有することを特徴とする、請求項１に記載の表示装置。
【請求項３】
前記切替制御部は、前記メモリー空間のうち複数の領域を表示対象領域として割り当てることを特徴とする、請求項１に記載の表示装置。
【請求項４】
前記制御部は、前記切替制御部により表示対象領域として割り当てられている領域内のデータを前記表示パネルに繰り返し表示する表示制御部と、前記切替制御部により非表示対象領域として割り当てられている領域に対し外部から受信したデータを書き込む書込制御部と、を有し、
上記表示制御部が前記切替制御部により表示対象領域として割り当てられている領域内のデータを前記表示パネルに繰り返し表示しながら、上記書込制御部が外部から受信したデータを前記切替制御部により非表示対象領域として割り当てられている領域内に書き込むことを特徴とする、請求項１に記載の表示装置。
【請求項５】
前記切替制御部は、非表示対象領域として割り当てられている領域に対しデータの書込みが終了したと判断すると、該領域を非表示対象領域から表示対象領域に割当てを切り替えて、前記表示制御部による前記表示パネルへの表示を開始させることを特徴とする、請求項４に記載の表示装置。
【請求項６】
表示データの転送を行うＣＰＵと、該ＣＰＵからの転送を受けて表示パネルに表示する表示装置と、を含み、
上記表示装置は、所定の画素数を有する上記表示パネルと、所定サイズのメモリー空間を有するメモリー部と、上記メモリー空間内を複数の領域に分けて指定する領域指定部と、上記領域指定部により指定された第１領域及び第２領域に対し一方の領域を非表示対象領域とし、他方の領域を表示対象領域として割当てを行い、所定のタイミングで該割当てを切り替える切替制御部とを備えることを特徴とする、表示システム。
【請求項７】
前記表示装置は、前記切替制御部により表示対象領域として割り当てられている領域内のデータを前記表示パネルに繰り返し表示する一方、前記ＣＰＵから転送されたデータを前記切替制御部により非表示対象領域として割り当てられている領域内に書き込むことを特徴とする、表示システム。
【請求項８】
表示データの転送を行うＣＰＵと、該ＣＰＵからの転送を受けて表示パネルに表示する表示装置と、を含み、
上記表示装置は、所定サイズのメモリー空間を有するメモリー部と、上記メモリー空間を複数の領域に区分けする領域指定部と、該領域指定部により区分けされた領域のうち少なくとも一方の領域を非表示対象領域とし、他方の領域を表示対象領域として割当てを行い、かつ所定のタイミングで該割当てを切り替える切替制御部と、を備え、
上記表示装置が、上記切替制御部により表示対象領域として割り当てられている領域内のデータを上記表示パネルに繰り返し表示する一方、上記ＣＰＵから転送されたデータを上記切替制御部により非表示対象領域として割り当てられている領域内に上記ＣＰＵからデータと共に送信された書込手順及び書込先アドレスに従い、書き込むことを特徴とする、表示システム。
【請求項９】
複数の領域に分割可能なメモリー部に外部からの転送データを格納して表示パネルに表示する表示方法であって、
上記メモリー空間における第１領域に書き込まれているデータを上記表示パネルに繰り返し表示するステップと、
上記メモリー空間における第１領域に書き込まれているデータを上記表示パネルに繰り返し表示しながら、該メモリー空間における第２領域に転送データを書き込むステップと、
上記第２領域に転送データが所定量書き込まれていることを条件として、上記表示パネルからの出力表示対象を上記第２領域に書き込まれているデータに切り替え、上記第２領域に書き込まれているデータを上記表示パネルへ繰り返し表示するステップと、
を含むことを特徴とする表示方法。
【請求項１０】
前記メモリー空間のうち出力表示対象として割り当てられていない領域に対し、指定されたアドレスから指定された手順に従ってデータの書込みがなされることを特徴とする、請求項９に記載の表示方法。
【請求項１１】
前記メモリー空間のうち出力表示対象として割り当てられていない領域に対し、外部から転送されるデータの一部を間引いて書込みがなされることを特徴とする、請求項９に記載の表示方法。
【請求項１２】
前記メモリー空間のうち出力表示対象に切り替えられた領域内のデータを前記表示パネルに表示するに際し、該領域のうち表示開始位置及び／又は表示終了位置を変更することを特徴とする、請求項９に記載の表示方法。
【請求項１３】
外部からの転送データをメモリー空間に格納して表示パネルに表示する表示制御プログラムであって、
上記メモリー空間内における複数の領域のうち、一方の領域にすでに書き込まれているデータを上記表示パネルに繰り返し表示しながら、他方の領域に転送データを書き込ませるステップと、
上記他方の領域に書き込まれているデータを上記表示パネルに繰り返し表示しながら、上記一方の領域に転送データを書き込ませるステップと、
を繰り返し行うことを特徴とする、表示制御プログラム。
【発明の詳細な説明】
【技術分野】
【０００１】
本発明は、転送されたデータを格納して表示パネルに表示する表示装置、表示システム、表示方法及び表示制御プログラムに関する。
【背景技術】
【０００２】
マルチインフォメーションとしての液晶表示装置が車両室内のコンソールボックスに搭載され、速度、残留オイル量、湿度その他の各種情報を運転者に呈示している（例えば特許文献１）。
【０００３】
従来、ヨーロッパ車のマルチインフォメーションシステムでは、表示装置として単純マトリックス表示方式を採用したＳＴＮ（Super-twisted Nematic Display）液晶、ＶＦＤ（Vacuum Fluorescent Display）が用いられ、マイコンからの転送データが表示装置内のＲＡＭ（Random Access Memory）に６０Ｈｚで書込みされている。このような表示装置では、表示パネルにおける画素への書込速度とデータ量の制約とから、せいぜい２階調のモノクロ表示であり、画像サイズもＱＱＶＧＡ（１６０×１２０）であった。
【０００４】
ヨーロッパ車や日本車の一部の高級車には、アクティブマトリックス表示方式を採用したＴＦＴ（Thin Film Transistor）液晶を用いてマルチインフォメーションシステムが搭載され、画像サイズをＱＶＧＡ（３２０×２４０）以上とし１６ビットカラー表示を可能としている。
【０００５】
【特許文献１】特開２００５−１９９９９２号公報
【発明の開示】
【発明が解決しようとする課題】
【０００６】
しかしながら、一部の高級車に搭載されているマルチインフォメーションシステムにおいても、６０Ｈｚで液晶表示装置に対し書込みを行う必要がある。そのため、この液晶表示装置に対する制御を各種メータの制御処理、各種センサーからの信号処理を行っているマイコンで行うには、性能のよいマイコンを搭載するか、マイコンとＴＦＴ液晶との間にＶＲＡＭ（Video Random Access Memory）を介在させる必要があった。
【０００７】
仮にＶＲＡＭを介在させても、ＶＲＡＭから液晶表示パネルに対し６０Ｈｚで転送させる必要がある。ＶＲＡＭから液晶表示パネルに対する転送速度が遅くなると、液晶表示パネルに斜めの輝線が発生し、所謂テアリングが生じるという問題があった。
【０００８】
また、モノクロ表示の場合であっても、マイコンから液晶表示装置に対してデータ転送する場合に画像サイズを大きくすると、マイコンに大きな負荷がかかる。例えば、画像サイズをＱＱＶＧＡ（１６０×１２０）からＱＶＧＡ（３２０×２４０）に大きくすると、マイコンからの転送速度は１．１５ＭＨｚから４．６１ＭＨｚとなるので、結果的にマイコンに負荷をかけることになる。
【０００９】
本発明の第１の目的は、データを転送するマイコンなどの外部のＣＰＵに負荷を与えることなく、データの転送を受けて表示することができる表示装置、表示方法及び表示プログラムを提供することにある。
本発明の第２の目的は、データを繰り返し表示する表示装置に対し、ＣＰＵが表示装置に依存しないで任意にデータを転送することができる、表示システムを提供することにある。
【課題を解決するための手段】
【００１０】
上記第１の目的を達成するため、本発明の表示装置は、所定の画素数を有する表示パネルと、所定サイズのメモリー空間を有するメモリー部と、制御部と、を備え、制御部には、メモリー空間内を複数の領域に分けて指定する領域指定部と、領域指定部により指定された第１領域及び第２領域に対し、一方の領域を非表示対象領域とし、他方の領域を表示対象領域として割当てを行い、所定のタイミングで該割当てを切り替える切替制御部と、を有することを特徴とする。ここで、「表示対象領域」とは、メモリー空間内において表示パネルに対して出力表示される領域を意味し、「非表示対象領域」とは、メモリー空間内において表示パネルに対して出力表示されない領域、即ち外部からの転送データの書込可能領域を意味する。これにより、メモリー空間内で表示対象領域に割り当てられた領域に書き込まれているデータを表示パネルに繰り返し表示させながら、外部から受信したデータをメモリー空間内の非表示対象領域に書き込み、その後表示パネルで表示するデータが書き込まれたことを条件として、切替制御部により非表示対象領域として割り当てた領域を表示対象領域に切り替えることができる。
【００１１】
上記構成において、メモリー空間は、好ましくは、表示パネルの２画面分以上のデータ量を格納できるサイズを有する。これによりメモリー空間内の領域を例えば半分に分け、一方の領域を表示領域としかつ他方の領域を非表示領域として割り当てることができる。
【００１２】
上記構成において切替制御部は、好ましくは、メモリー空間のうち複数の領域を表示対象領域として割り当てる。これによりメモリー空間内の一部の領域内を書き換えたり、表示パネルへの表示切替えが容易になる。
【００１３】
上記構成において制御部は、好ましくは、切替制御部により表示対象領域として割り当てられている領域内のデータを表示パネルに繰り返し表示する表示制御部と、切替制御部により非表示対象領域として割り当てられている領域に対し外部から受信したデータを書き込む書込制御部と、を有し、表示制御部が切替制御部により表示対象領域として割り当てられている領域内のデータを表示パネルに繰り返し表示しながら、書込制御部が外部から受信したデータを切替制御部により非表示対象領域として割り当てられている領域内に書き込む。また、切替制御部は、非表示対象領域として割り当てられている領域に対しデータの書込みが終了したと判断すると、その領域を非表示対象領域から表示対象領域に割当てを切り替えて、表示制御部による表示パネルへの表示を開始させる。
【００１４】
上記第２の目的を達成するため、本発明の第１の構成に係る表示システムは、表示データの転送を行うＣＰＵと、ＣＰＵからの転送を受けて表示パネルに表示する表示装置と、を含み、表示装置は、所定の画素数を有する表示パネルと、所定サイズのメモリー空間を有するメモリー部と、メモリー空間内を複数の領域に分けて指定する領域指定部と、領域指定部により指定された第１領域及び第２領域に対し一方の領域を非表示対象領域とし、他方の領域を表示対象領域として割当てを行い、所定のタイミングでこの割当てを切り替える切替制御部とを備えることを特徴とする。特に、表示装置は、切替制御部により表示対象領域として割り当てられている領域内のデータを表示パネルに繰り返し表示する一方、ＣＰＵから転送されたデータを切替制御部により非表示対象領域として割り当てられている領域内に書き込む。よって、本発明に係る表示システムによれば、先ず、メモリー空間内の一方の領域に対し、ＣＰＵから転送されたデータの書込みがなされる。次に、この一方の領域が表示対象領域に切り替えられ、他方の領域が非表示領域として割り当てられると、一方の領域に書き込まれているデータを表示パネルに繰り返し表示しながら、他方の領域に外部からの転送データが書込可能となる。よって、ＣＰＵは、他方の領域に書き込まれるデータを任意のスピードでかつ任意のタイミングで転送することができ、表示装置は、一方の領域に書き込まれているデータを所定の周波数で表示パネルに表示することができる。
【００１５】
本発明の第２の構成に係る表示システムは、表示データの転送を行うＣＰＵと、ＣＰＵからの転送を受けて表示パネルに表示する表示装置と、を含み、表示装置は、所定サイズのメモリー空間を有するメモリー部と、メモリー空間を複数の領域に区分けする領域指定部と、領域指定部により区分けされた領域のうち少なくとも一方の領域を非表示対象領域とし、他方の領域を表示対象領域として割当てを行い、かつ所定のタイミングで該割当てを切り替える切替制御部と、を備え、表示装置が、切替制御部により表示対象領域として割り当てられている領域内のデータを表示パネルに繰り返し表示する一方、ＣＰＵから転送されたデータを切替制御部により非表示対象領域として割り当てられている領域内にＣＰＵからデータと共に送信された書込手順及び書込先アドレスに従い、書き込む。これにより、非表示領域への転送データの書込みが指定された書込先アドレスから書込手順に従って行われるため、一つの転送データを元にして各種の表示を行うことができる。
【００１６】
本発明の表示方法は、複数の領域に分割可能なメモリー部に外部からの転送データを格納して表示パネルに表示する表示方法であって、メモリー空間における第１領域に書き込まれているデータを表示パネルに繰り返し表示するステップと、メモリー空間における第１領域に書き込まれているデータを表示パネルに繰り返し表示しながら、メモリー空間における第２領域に転送データを書き込むステップと、第２領域に転送データが所定量書き込まれていることを条件として、表示パネルからの出力表示対象を第２領域に書き込まれているデータに切り替え、第２領域に書き込まれているデータを表示パネルへ繰り返し表示するステップと、を含むことを特徴とする。ここで、所定量とは、表示パネルで表示可能なデータ量、表示パネルに対して割り当てられている表示領域に表示可能なデータ量の何れかを意味する。これにより、第２領域に書き込まれるデータを外部から任意のスピードかつ任意のタイミングで転送することができると共に、第１領域に書き込まれているデータを所定の周波数で表示パネルに表示することができる。
【００１７】
上記構成において、好ましくは、メモリー空間のうち出力表示対象として割り当てられていない領域に対し、指定されたアドレスから指定された手順に従ってデータの書込みがなされる。これによりＣＰＵからの転送データにおけるデータ列の順序によらず、９０°反転、左右対称、上下対称など複数の態様で表示することができる。
【００１８】
上記構成において、好ましくは、メモリー空間のうち出力表示対象として割り当てられていない領域に対し、外部から転送されるデータの一部を間引いて書込みがなされる。これにより、転送データをメモリー空間の容量に対応させつつ、表示パネルで表示可能なデータサイズに変換することができる。
【００１９】
上記構成において、好ましくは、メモリー空間のうち出力表示対象に切り替えられた領域内のデータを表示パネルに表示するに際し、その領域のうち表示開始位置及び／又は表示終了位置を変更する。これにより、出力表示対象の切替え毎に、表示パネルにスクロール表示させることができる。
【００２０】
さらに、本発明の表示制御プログラムは、外部からの転送データをメモリー空間に格納して表示パネルに表示する表示制御プログラムであって、メモリー空間内における複数の領域のうち、一方の領域にすでに書き込まれているデータを表示パネルに繰り返し表示しながら、他方の領域に転送データを書き込ませるステップと、他方の領域に書き込まれているデータを表示パネルに繰り返し表示しながら、一方の領域に転送データを書き込ませるステップと、を繰り返し行うことを特徴とする。これにより、本発明の表示制御プログラムを別の表示デバイスに格納して実行することで、本発明の表示方法を実行することができる。この表示制御プログラムはＣＤ、ＤＶＤなどの記録媒体に格納されてもよい。
【発明の効果】
【００２１】
本発明の表示装置によれば、メモリー空間内の一領域が非表示領域に割り当てられ、外部からの転送データの書込み終了後表示領域に切り替えられると、その一領域に書き込まれているデータを表示パネルに繰り返し表示しながら、別の領域が書込領域に割り当てられる。この書込領域に書き込まれるデータの転送速度は表示パネルへの表示処理に何ら依存しない。従って、表示装置に接続された外部のＣＰＵから任意のタイミングや速度でデータが転送されても、表示装置は、所定のフレーム周波数で表示パネルにデータ表示を安定して行うことができ、テアリングなどの不都合が生じない。
【００２２】
本発明による表示システムによれば、ＣＰＵは表示装置に対しデータを任意のスピードでかつ任意のタイミングで送信することができ、表示装置はＣＰＵからのデータ送信のタイミングや速度によらず安定した表示を行うことができる。また、このＣＰＵは表示装置に対するデータを送信する処理のみならず、各種センサーからの出力信号に基いて表示装置以外の制御系に対する制御を行うこともできる。
【００２３】
本発明による表示方法によれば、メモリー空間内に一方の領域に書き込まれているデータを所定の周波数で表示パネルに表示しながら、メモリー空間内の他方の領域に書き込まれるデータを外部から任意のスピードでかつ任意のタイミングで受信することができる。
【００２４】
本発明による表示制御プログラムを実行することで、本発明に係る表示方法を実現することができ、任意のスピードでかつ任意のタイミングで外部から転送されるデータを受けながら安定した表示を行うことができる。なお、本発明の表示装置は車載用のインフォメーションシステムやＩＴ家電などの表示デバイスとして適用することができる。
【発明を実施するための最良の形態】
【００２５】
以下、添付図面を参照しながら、本発明の実施形態を説明する。
図１は、本発明の実施形態に係る表示システムの概略を示す図である。
表示システム１は、表示パネル１１として例えば液晶表示パネルを備えた表示装置１０と、この表示装置１０で表示するデータを格納する表示データ格納部２と、表示データ格納部２からデータを取得して表示装置１０に対して表示指令と共に送信するＣＰＵ（Central Processing Unit）３と、で構成される。この表示システム１は、例えば車載のマルチインフォメーションシステムとして構築される。その際、ＣＰＵ３は車両に設けられた各種センサーに対する制御の他、空調設備や照明設備の制御も行う。また表示システム１は、例えばＩＴ家電に組み込まれてもよい。その際、ＣＰＵ３は、利用者に対する情報の表示制御のみならず、各種制御機器に対するコントロールも行う。表示装置１０の入出力制御部１０ＡとＣＰＵ３の入出力制御部３Ａとはフレキシブル基板（FPC）４を介してＡＣＦ（Anisotropic Conductive Film、異方性導電フィルム）接続され、表示データ、制御信号、シリアルコマンド、電力がＣＰＵ３側から表示装置１０に対して直接入力される。なお、ＣＰＵ３と表示データ格納部２とはＣＡＮなどのネットワーク５で接続されている。
【００２６】
表示装置１０は、図１に示すように例えば所定数の画素数を有する表示パネル１１と、所定サイズのメモリー空間を有するメモリー部１２と、メモリー空間内のデータを表示パネル１１に映し出すためのゲートドライバー１３及びソースドライバー１４と、外部のＣＰＵ３からの制御信号及びデータを受ける入出力制御部１０Ａと、入出力制御部１０Ａで受信した制御信号からコマンドを判定するコマンド判定部１５と、コマンド判定部１５で判定したコマンドに従い、メモリー部１２に対し転送データの書込み、ソースドライバー１４に対する表示信号の出力、ゲートドライバー１３への制御などを行う制御部１６と、を備えている。
【００２７】
ここで、表示装置１０におけるコマンド判定部１５及び制御部１６は、デジタル回路で構成されてもよいし、本発明に係る表示制御プログラムをプロセッサーに格納して実行することで構築されてもよい。
【００２８】
制御部１６は、メモリー空間内における領域を指定する領域指定部１６ａと、領域指定部１６ａで指定された各領域に対し、表示パネル１１に出力表示しない領域を非表示対象領域とし、表示パネル１１に出力する領域を表示領域として割当てを行い、この割当てを外部からの指令により切り替える切替制御部１６ｂと、ＣＰＵ３から受信した制御情報を表示指令と判断した場合、メモリー部１２のメモリー空間内の指定領域に書き込まれているデータを表示パネル１１にソースドライバー１４を介して表示する表示制御部１６ｃと、ＣＰＵ３から受信した制御情報を書込指令と判断した場合、メモリー部１２のメモリー空間内の指定領域に当該制御情報と共に送信された転送データを書き込む書込制御部１６ｄと、を備えている。
【００２９】
ここで、領域指定部１６ａは、転送データの格納場所のためメモリー空間に対するＲＡＭアドレスの指定を行うほか、表示パネル１１に対する表示領域の指定も行う。例えば、領域指定部１６ａは、表示パネル１１の一領域のみ第１のパーシャル画像表示領域とし、残りの領域を第２のパーシャル画像表示領域とする指定も行う。
【００３０】
切替制御部１６ｂは、メモリー空間内における格納場所を表示対象領域、非表示対象領域とするかの割当てを行い、外部からの制御信号に応じてその割当ての切替えを行う。
【００３１】
表示制御部１６ｃは、切替制御部１６ｂにより表示対象領域として割り当てられている領域内のデータを表示パネル１１に繰り返し表示する。具体的には、切替制御部１６ｂにより表示対象領域として割り当てられたメモリー空間内の格納場所からデータを取得し、ゲートドライバー１３に出力される駆動信号と連動してソースドライバーに繰り返し転送することで、表示パネル１１に対するデータの表示出力を繰り返す。
【００３２】
書込制御部１６ｄは、切替制御部１６ｂにより非表示対象領域として割り当てられた領域に対しＣＰＵ３から受信したデータを書き込む。具体的には、ＣＰＵ３から転送データと共に送信された書込指令に含まれている書込先頭アドレス及び書込手順に従い、転送データの書込みを行う。
【００３３】
なお、ＣＰＵ３からのデータ転送は、データ線が１本のシリアル方式でも、複数本で転送するパラレル方式でもよい。画素数、転送データが比較的小さくＣＰＵ３側の入出力制御部３Ａのポートが少ない場合にはシリアル転送を選択する。またＣＰＵ３からのデータ転送の際、転送速度に応じてシリアル転送、パラレル転送の何れかが選択可能にしてもよい。この選択はＣＰＵ３で行うことができる。また、メモリー部１２、制御部１６などは表示パネル１１を形成するガラス上にＣＯＧ（Chip on glass）などの手法を用いて実装してもよい。メモリー部１２からソースドライバー１４へ出力線としてデータ線の数だけ配線し、制御部１６からゲートドライバー１３への制御信号出力線としてゲート線の数だけ配線される。
【００３４】
ここで、表示パネル１１の画素数とメモリー部１２におけるメモリー空間のサイズとの関係について説明する。メモリー部１２は、表示パネル１１で表示可能なデータ量の２倍以上、好ましくは４倍のメモリー空間を有する。これにより、メモリー部１２におけるメモリー空間を、表示パネル１１への表示対象領域と、表示パネル１１へ表示しない非表示対象領域とに分けて割り当て、非表示対象領域として割り当てられた領域のうち指定された格納場所に転送データを書き込む。例えば、表示パネル１１の画素数がＱＱＶＧＡ（１６０×ＲＧＢ×１２０）の場合には、３２０×２４０のメモリー空間とする。これにより、表示パネル１１、メモリー空間の垂直方向への各走査が対応することができ、走査の際のアドレス番号を容易に制御することができる。
【００３５】
領域指定部１６ａは、メモリー部１２のメモリー空間を複数の領域に区分けする。その場合、表示パネル１１全面で表示する表示データのデータサイズに合わせて第１領域、第２領域として区分けする。なお、メモリー空間内の領域内には未使用の領域があってもよく、メモリー空間内の例えば半分の領域を第１領域、第２領域などと区分してもよい。これにより、書込制御部１６ｄは、ＣＰＵ３から転送されたデータを非表示対象領域に割り当てられた第１領域、第２領域の何れかの領域に書き込む。一方、切替制御部１６ｂは、メモリー空間の第１領域を表示するか、第２領域を表示するか、所定のタイミングを図って判断し、一方を表示対象領域とする。表示制御部１６ｃは、表示対象領域に割り当てられている領域に書き込まれているデータをソースドライバー１４に繰り返し出力することで、表示パネル１１への出力表示を繰り返す。
【００３６】
以下に本発明の第１の実施形態について具体的に説明する。図２は第１の実施形態におけるメモリー空間１２ａと表示パネル１１との関係を模式的に示す説明図であり、図３は第１の実施形態に係る表示方法を示すフロー図である。以下の説明では、メモリー空間１２ａのサイズがＱＶＧＡ（２４０×３２０）であり、表示パネル１１の画素数を１２０×１６０とする。メモリー空間１２ａは、図２に示すように、メモリー空間１２ａのうち左右の未使用領域と真ん中の使用領域とに分け、さらに使用領域を第１領域と第２領域とに区分けし、表示パネル１１に対し第１領域と第２領域の何れか一方の領域のみを表示する場合を説明する。ここで、メモリー空間１２ａには、ＣＰＵ３から転送されたデータが格納されない領域として未使用領域が存在する。
【００３７】
ＣＰＵ３から転送データとして第１表示データと共に第１領域、書込先頭アドレス、書込手順を含む書込指令を表示装置１０が受けると、その書込指令をコマンド判定部１５が判断し、制御部１６にその指令を伝える。すると、先ず、領域指定部１６ａはメモリー空間１２ａに対する第１領域の設定を行う（ＳＴＥＰ１−１）。第１領域の設定は、ウインドウ水平ＲＡＭアドレス及び垂直ＲＡＭアドレスを用いて開始アドレス及び終了アドレスを指定することでなされる。次に、領域指定部１６ａが書込制御部１６ｄに対し、書込先頭アドレス及び書込手順の設定を行う（ＳＴＥＰ１−２）。書込先頭アドレスの設定には、水平方向ＲＡＭアドレス及び垂直方向ＲＡＭアドレスが用いられる。書込手順とは、メモリー空間１２ａ内の或るアドレスに書き込んだのち、次の書込先のアドレスを決めるためのものであり、通常は水平方向及び垂直方向にそれぞれインクリーメントし、水平方向に進行するよう書込手順が設定される。なお、書込制御部１６ｄには通常の書込手順に関する情報が既定されており、通常の書込手順と異なる場合のみ変更設定を行ってもよい。その後、書込制御部１６ｄは、ＣＰＵ３からの第１表示データを書込先頭アドレスから順に書込手順に従って書き込む（ＳＴＥＰ１−３）。
【００３８】
ＣＰＵ３から表示装置１０に対して第１表示データの表示指令の入力がなされると、コマンド判定部１５においてその旨が判断され、切替制御部１６ｂは表示対象領域として第１領域を割り当てる。すると、表示制御部１６ｃは、第１領域に書き込まれているデータを表示パネル１１に表示するようゲートドライバー１３及びソースドライバー１４に対し制御する（ＳＴＥＰ１−４）。これにより、第１表示データが表示パネル１１に表示出力される。ＳＴＥＰ１−４の処理が行われている間、制御部１６がコマンド判定部１５を介してＣＰＵ３から第２表示データと共に書込指令を受けると、領域指定部１６ａはメモリー空間１２ａに対する第２領域の設定を行い（ＳＴＥＰ１−５）、領域指定部１６ａが書込制御部１６ｄに対し書込先頭アドレス及び書込手順を設定し（ＳＴＥＰ１−６）、書込制御部１６ｄがＳＴＥＰ１−６で設定した書込先頭アドレスから順に書込手順に従って第２表示データの書込みを行う（ＳＴＥＰ１−７）。このＳＴＥＰ１−５〜ＳＴＥＰ１−７の間、ゲートドライバー１３及びソースドライバー１４により表示パネル１１に対し第１表示データが繰り返し描かれており、ＣＰＵ３から任意の速度で転送されてきた第２表示データをメモリー空間１２ａにおける第２領域に任意の速度で書き込むことができる。なお、ＳＴＥＰ１−５乃至ＳＴＥＰ１−７の各処理は、ＳＴＥＰ１−１乃至ＳＴＥＰ１−３の各処理と同様である。
【００３９】
次に、表示装置１０がＣＰＵ３から表示切替えの指令を受信すると、この指令をコマンド判定部１６ｂが判断し、切替制御部１６ｂは垂直スクロール機能を無効から有効に切り替える（ＳＴＥＰ１−９）。ここで、垂直スクロール機能とは、メモリー空間内の第１領域と第２領域との書込開始アドレスの垂直アドレス番号の差分を垂直スクロール量として切替制御部１６ｂ内に設定されており（ＳＴＥＰ１−８）、表示制御部１６ｃがメモリー空間１２ａからのデータ読出開始位置をスクロール量だけ垂直方向にシフトさせる機能をいう。切替制御部１６ｂは、コマンド判定部１５により第１領域、第２領域の何れを表示するかの指令を外部から受けた旨の通知を受けると、スクロール機能を無効、有効にすることで、メモリー空間１２ａのデータ読出表示開始アドレスを第１領域の先頭、第２領域の先頭の何れかに設定する。上記ＳＴＥＰ１−９により、表示制御部１６ｃは第２領域内のデータを表示パネル１１にソースドライバー１４を介して出力表示する。
【００４０】
以上のように、第１の実施形態では、メモリー部１２におけるメモリー空間１２ａを表示パネル１１の表示サイズに対して同等ではなく例えば２倍又は４倍とすることで、メモリー空間１２ａ内の第１領域及び第２領域を表示対象領域と非表示対象領域とに切替可能に割り当てる。第２領域に第２データが書き込まれると、切替制御部１６ｂは、表示パネル１１に表示するデータ格納場所を第１領域から第２領域に変更する。これで、表示制御部１６ｃは、ソースドライバー１４に出力するデータを第１領域からではなく第２領域から取得する。これにより表示切替えを行うことができる。
【００４１】
次に、本発明の第２の実施形態について説明する。
上記第１の実施形態では、メモリー空間１２ａを表示パネル１１の画素数に相当するよう第１領域及び第２領域に区分けするのに対し、第２の実施形態では、メモリー空間１２ａのうち使用領域を表示パネル１１の画素数に対応するサイズ以下の領域に複数区分けする。換言すれば、第１実施形態では、メモリー空間１２ａの第１領域及び第２領域に書き込まれているデータを表示パネル１１の全てに表示するのに対し、第２実施形態では、メモリー空間１２ａの各領域に書き込まれているデータを表示パネル１１に部分的に表示し、表示パネル１１の一部を部分的に切り替えることができる。
【００４２】
図４は第２の実施形態におけるメモリー空間１２ａと表示パネル１１との関係を示す説明図、図５は第２の実施形態におけるフロー図である。以下の説明では、メモリー空間１２ａのサイズをＱＶＧＡ（２４０×３２０）とし、表示パネル１１の画素数を１２０×１６０とする。図４に示すように、表示パネル１１に対し、第１のパーシャル画像表示領域として１２０×１００のサイズの表示領域を画成し、第２のパーシャル画像表示領域として１２０×６０のサイズの表示領域を画成する。また、図４に示すように、メモリー空間１２ａのうち左右の未使用領域と真ん中の使用領域とに分け、未使用領域にはＣＰＵ３からのデータが書き込まれず、使用領域にＣＰＵ３からのデータが書き込まれる。
【００４３】
表示装置１０がＣＰＵ３から第１及び第２のパーシャル画像表示領域の設定指令を受けると、コマンド判定部１５でその設定指令を判断し、領域指定部１６ａが図４に示すように第１のパーシャル画像表示領域１１ａと第２のパーシャル画像表示領域１１ｂとをそれぞれ設定する（ＳＴＥＰ２−１）。第１、第２のパーシャル画像表示領域１１ａ，１１ｂの設定には、設定指令と共に送信された開始ラインアドレス及び終了ラインアドレスが用いられる。これと相前後して切替制御部１６ｂは、表示対象領域として第１及び第２のパーシャル画像表示領域に対応するよう、メモリー空間１２ａ用の開始ラインアドレス及び終了ラインアドレスを設定する（ＳＴＥＰ２−２）。
【００４４】
次に、表示装置１０がＣＰＵ３から第１のパーシャル画像に関するデータ転送と共に書込領域の確保指令を受けると、領域指定部１６ａがメモリー空間１２ａに対して書き込む領域、ここではＡ領域を設定する。その際、ウインドウ垂直ＲＡＭアドレス及びウインドウ水平ＲＡＭアドレスを用いて開始アドレス及び終了アドレスを設定することで、メモリー空間１２ａへの第１パーシャル画像用書込領域としてＡ領域を設定する（ＳＴＥＰ２−３）。領域指定部１６ａが書込制御部１６ｄに対し、メモリー空間１２ａにおける書込先頭アドレスについて水平方向及び垂直方向のＲＡＭアドレスを用いて設定を行うと共に、書込手順の設定を行う（ＳＴＥＰ２-４）。そして、書込制御部１６ｄが書込先頭アドレスから書込手順に従って第１のパーシャル画像についてデータ書込みを行う（ＳＴＥＰ２−５）。
【００４５】
次に、表示装置１０がＣＰＵ３から第２のパーシャル画像に関するデータ転送と共に書込領域の確保指令を受けると、領域指定部１６ａは、メモリー空間１２ａに対し書き込む領域、ここではＢ領域を設定する。その際、ウインドウ垂直ＲＡＭアドレス及びウインドウ水平ＲＡＭアドレスを用いて開始アドレス及び終了アドレスを設定することで、メモリー空間１２ａへの第２パーシャル画像用書込領域としてＢ領域を設定する（ＳＴＥＰ２−６）。領域指定部１６ａが書込制御部１６ｄに対し、メモリー空間１２ａにおける書込先頭アドレスについて水平方向及び垂直方向のＲＡＭアドレスを用いて設定を行うと共に、書込手順の設定を行う（ＳＴＥＰ２−７）。そして、書込制御部１６ｄが書込先頭アドレスから書込手順に従って第２のパーシャル画像についてデータ書込みを行う（ＳＴＥＰ２−８）。
【００４６】
以上により、各表示データが第１及び第２のパーシャル画像としてメモリー空間１２ａに書き込まれているので、ＣＰＵ３から表示指令を受けると、表示制御部１６ｃが表示対象領域として設定されている開始ラインアドレス及び終了ラインアドレス間のデータを表示パネル１１に対し約６０Ｈｚ程度で走査することで、表示パネル１１に対して第１及び第２のパーシャル画像が出力表示される（ＳＴＥＰ２−９）。
【００４７】
この表示パネル１１の各表示領域に対し第１及び第２のパーシャル画像が表示されている状況下において、第１のパーシャル画像のみを変更する指令がＣＰＵ３から送信されたとする。すると、制御部１６は、メモリー空間１２ａに対し新たな第１パーシャル画像に関するデータ書込みを行う。具体的には、領域指定部１６ａは、メモリー空間１２ａ内でＳＴＥＰ２−３及びＳＴＥＰ２−６で設定していない領域、ここではＣ領域に関し、ウインドウ水平ＲＡＭアドレス及びウインドウ垂直ＲＡＭアドレスで開始アドレス及び終了アドレスの設定を行う（ＳＴＥＰ２−１０）。このとき設定されるウインドウの大きさはＳＴＥＰ２−３で設定したウインドウの大きさと同じである。そして改めて、領域指定部１６ａは、書込制御部１６ｄに対し書込先頭アドレスについて水平方向及び垂直方向のＲＡＭアドレスを用いて設定を行い、必要に応じて書込手順の設定も行う（ＳＴＥＰ２−１１）。その後、書込制御部１６ｄは書込先頭アドレスから書込手順に従って新たな第１のパーシャル画像についてデータ書込みを行う（ＳＴＥＰ２−１２）。
【００４８】
このデータ書込みがなされている間は、メモリー空間１２ａに現に表示パネル１１に表示している第１及び第２のパーシャル画像のデータが書き込まれているので、ＣＰＵ３からの転送タイミング、転送速度に関係なく、表示パネル１１に第１及び第２のパーシャル画像を表示させたままとすることができる。
【００４９】
切替制御部１６ｂは、ＳＴＥＰ２−１２の書込みが完了したと判断すると、第１のパーシャル画像に関する表示対象領域を、Ａ領域からＣ領域に変更する（ＳＴＥＰ２−１３）。これにより、表示制御部１６ｃはメモリー空間１２ａにおいて表示対象領域の開始ラインアドレス及び終了ラインアドレス間のデータに基いて、表示パネル１１の第１及び第２のパーシャル画像表示領域に表示する。よって、第１のパーシャル画像表示領域に表示される第１パーシャル画像のみを瞬時に変更することができる。
第２のパーシャル画像の表示変更も、第１のパーシャル画像の表示変更と同様に行うことができる。
【００５０】
以上説明したように、第２の実施形態では、先ず、表示パネル１１に対して第１及び第２のパーシャル画像を表示する領域を設定し、メモリー空間１２ａに第１及び第２のパーシャル画像に関するデータ書込領域をそれぞれ設定し、各データ書込領域にそれぞれデータを書き込ませて表示させておく。次に、表示パネル１１に第１及び第２のパーシャル画像を全て表示させている状況下で、メモリー空間１２ａの隙間に対し、変更対象となる一方のパーシャル画像に関するデータ書込領域を設定し、この追加したデータ書込領域に対し変更後のパーシャル画像に関するデータ書込みを行い、表示変更前のデータが書き込まれているメモリー空間１２ａの領域から表示変更後のデータが書き込まれている領域に対し表示対象領域を切り替えることで、一方のパーシャル画像のみ表示変更することができる。よって、メモリー部１２におけるメモリー空間１２ａの隙間を利用することで、表示パネル１１の一画面に相当するデータを全て書き換える必要がない。つまり、表示パネル１１の１画面分の表示データを全て書き換える必要がなく、必要最小限の書き換えに関するデータのみ外部のＣＰＵ３から転送すればよいことになる。よって、ＣＰＵ３からのデータ転送に要する時間を削減することができ、ＣＰＵ３に対する負荷を大幅に減らすことができる。
【００５１】
以上の第２実施形態は、第１領域及び第２領域を表示パネル１１のサイズに対応させず、パーシャル画像表示領域とすることで、表示パネル１１の全面を書き換えることはせず、メモリー部１２のメモリー空間を部分的に書き換え、表示パネル１１の一部のみ書き換えを行うことができる。
【００５２】
次に、本発明の第３の実施形態について説明する。
図１に示す表示システム１において、ＣＰＵ３から表示装置１０内のメモリー部１２へのデータ転送が、第１及び第２の実施形態では、各領域、即ち第１領域及び第２領域一括転送であったが、第３実施形態では、任意の領域、例えば第１領域における特定領域にのみデータを書き換える点で異なる。即ち、メモリー部１２におけるメモリー空間１２ａにＣＰＵ３から表示データ格納部２に格納されているデータを書き込む際、一旦メモリー空間１２ａの任意領域、例えば第１領域を書込み、次にその第１領域に対して大部分のデータは同一であるが、第１領域のうち一部のみが異なる場合には、その異なる部分のみデータ転送を行う。具体的には、メモリー空間１２ａ内の例えば第１領域の特定領域を、垂直方向及び水平方向の開始アドレスと終了アドレスとで指定して特定する。これにより、メモリー空間１２ａの部分的なデータの書き換えを行うことができる。以下、具体的にマルチインフォメーションに適用した場合について説明する。
【００５３】
図６は、表示システム１が組み込まれたマルチインフォメーションシステム２０を模式的に示すもので、（Ａ）はインストルメントパネルに装着されたマルチインフォメーションシステム２０を示す図、（Ｂ）及び（Ｃ）は（Ａ）の中央に存在する表示部２３を示している。図６（Ａ）に示すマルチインフォメーションシステム２０では、左側に速度メータ２１を備え、右側に回転数を示す回転数メータ２２を備え、中央には多数の情報を表示する表示部２３を備える。表示メータ２１、回転数メータ２２及び表示部２３は、前述した表示システム１における表示パネル１１の表示部分が認識可能に装着されてなる。ここでは、多数の情報を表示する表示部２３への表示手法について説明する。
【００５４】
図６（Ｂ）に示すように、表示部２３には、駆動モードとして例えば「４ＷＤ」、「ＬＯＣＫ」とが二段表記される表示領域２３ａ、警告発生時にその旨表示する表示領域２３ｂ、アクティブスタビリティコントロール（ＡＳＣ）ＯＦＦ時に表示する表示領域２３ｃ、オドメーターとトリップメーターとが二段表記される表示領域２３ｄ、シフトポジションを示す表示領域２３ｅ、外気温度を表示する表示領域２３ｆ、燃料残量を示す表示領域２３ｇ、を有するよう画成されている。
【００５５】
この場合、メモリー空間内の領域に対し、図６（Ｂ）に対応する表示データが書き込まれている。一例として燃料表示に関するデータの書き換え表示について説明する。いま、燃料センサーから一段階燃料が減った信号を外部のＣＰＵ３が受けると、ＣＰＵ３は燃料表示の残量を一段階下げると判断する。すると、ＣＰＵ３は表示装置１０に対し、燃料表示の残量を一段階下げる表示を行うためメモリー空間内の書換対象となる領域を指定し、その指定した領域のデータを垂直方向及び水平方向の開始アドレスと終了アドレスと共に転送する。この書換指令と共にデータを制御部１６が受けると、書込制御部１６ｄは、書換指令に含まれる各種アドレス、即ち垂直方向及び水平方向の開始アドレス、終了アドレスで指定されたメモリー空間内における特定のデータを書き換える。そして、表示制御部１６ｃにより表示部２３に対して書換え後のデータに基いて表示出力される。この表示状況を示すのが図６（Ｃ）である。
【００５６】
第３の実施形態の変形例について説明する。
図７は、表示部２３がロードマップを示す表示領域２３αとオドメーターとトリップメーターとが二段表記される表示領域２３βとに区分けされ、それぞれに対応させてメモリー空間内のＡ領域１２αに表示領域２３αで表示可能なロードマップに関するデータが格納され、Ｂ領域１２βにオドメーター及びトリップメーターに関するデータが格納されている場合を示している。領域指定部１６ａは、メモリー空間１２ａのＡ領域１２α内のデータを表示する際、先ずメモリー空間１２ａで表示開始ラインアドレスＬＳ１と表示終了ラインアドレスＬＥ１との間のデータを表示させ、その後、メモリー空間１２ａで表示開始ラインアドレスＬＳ２と表示終了ラインアドレスＬＥ２との間のデータを表示させるよう、表示開始ラインと表示終了ラインとを時間単位やＣＰＵ３からの指令に基いて変化させることで、あたかも表示領域２３αにロードマップがスクロールしているように表示させることもできる。
【００５７】
さらに、メモリー空間１２ａのデータを書き換える場合であっても、メモリー空間１２ａに対する最初のデータ書込みの場合でも、表示データ格納部２に格納されているデータの順番にメモリー空間に書込みを行わず、表示パネル１１への表示イメージに併せてメモリー空間１２ａに格納することもできる。図８は、メモリー空間１２ａの任意領域と表示イメージとの関係を示す図である。
図８（Ａ）は表示データ格納部２に格納されているデータを模式的に示したものである。図８（Ａ）の左側に、表示データ格納部２に格納されているデータについて、ＣＰＵ３により転送されるデータ列としてマトリックスで表している。マトリックスの各升目中の数字はＣＰＵ３から転送される順番を示している。右側には、表示データ格納部２に格納されているデータをイメージ的に示している。
図８（Ｂ）〜（Ｉ）の左側にはＣＰＵ３から受信したデータをメモリー空間１２ａに格納した状態でのデータをマトリックスで表示したものであり、右側には表示パネル１１での表示イメージを表している。表示データ格納部２及び表示パネル１１への表示イメージは３×４のマトリックスで順番に行列を問わず通し番号を付している。
【００５８】
図８（Ｂ）は表示データ格納部２に格納されているデータをそのままメモリー空間１２ａに格納して表示する場合を示している。ＣＰＵ３は、表示データ格納部２の該当領域の番号順に読み出してデータを転送する。即ち、図８（Ａ）の左側に示すように左上の升目（「１」の番号が付されているデータ）から、その番号順にデータを転送する。すると、書込制御部１６ｄが、メモリー空間１２ａの書込領域に対し書込先頭アドレス（水平最小，垂直最小）から水平方向にインクリーメントさせることで水平方向に順に書き込み、所定のアドレスになったら垂直方向にインクリーメントさせることで行を改め、再び水平方向に順に書込みすればよい。
【００５９】
図８（Ｃ）は表示データ格納部２に格納されているデータを右９０度回転させて表示させる場合を示している。ＣＰＵ３が表示データ格納部２の該当領域の番号順に読み出してデータを転送すると、書込制御部１６ｄが、メモリー空間１２ａの書込領域に対し書込先頭アドレス（水平最大，垂直最小）から垂直方向にインクリーメントさせることで垂直方向に順に書き込み、所定のアドレスになったら水平方向にデクリーメントさせることで列を改め、再び垂直方向に順に書込みしていけばよい。
【００６０】
図８（Ｄ）は表示データ格納部２に格納されているデータを１８０度回転させて表示させる場合を示している。ＣＰＵ３が表示データ格納部２の該当領域の番号順に読み出してデータを転送すると、書込制御部１６ｄが、メモリー空間１２ａの書込領域に対し書込先頭アドレス（水平最大，垂直最大）から水平方向にデクリーメントさせることで水平方向に順に書き込み、所定のアドレスになったら垂直方向にデクリーメントさせることで行を改め、再び水平方向に順に書込みしていけばよい。
【００６１】
図８（Ｅ）は表示データ格納部２に格納されているデータを左９０度回転させて表示させる場合を示している。ＣＰＵ３が表示データ格納部２の該当領域の番号順に読み出してデータを転送すると、書込制御部１６ｄがメモリー空間１２ａの書込領域に対し書込先頭アドレス（水平最小，垂直最大）から垂直方向にデクリーメントさせることで垂直方向に順に書き込み、所定のアドレスになったら水平方向にインクリーメントさせることで列を改め、再び垂直方向に順に書込みしていけばよい。
【００６２】
図８（Ｆ）は表示データ格納部２に格納されているデータを左右ミラー反転させて表示させる場合を示している。ＣＰＵ３が表示データ格納部２の該当領域の番号順に読み出してデータを転送すると、書込制御部１６ｄが、メモリー空間１２ａの書込領域に対し書込先頭アドレス（水平最大，垂直最小）から水平方向にデクリーメントさせることで水平方向に順に書き込み、所定のアドレスになったら垂直方向にインクリーメントさせることで行を改め、再び水平方向に順に書込みしていけばよい。
【００６３】
図８（Ｇ）は表示データ格納部２に格納されているデータを上下回転させて表示させる場合を示している。ＣＰＵ３が表示データ格納部２の該当領域の番号順に読み出してデータを転送すると、書込制御部１６ｄが、メモリー空間１２ａの書込領域に対し書込先頭アドレス（水平最小，垂直最大）から水平方向にインクリーメントさせることで水平方向に順に書き込み、所定のアドレスになったら垂直方向にデクリーメントさせることで行を改め、再び水平方向に順に書込みしていけばよい。
【００６４】
図８（Ｈ）は表示データ格納部２に格納されているデータを上下ミラー反転させ、かつ右９０度回転させて表示させる場合を示している。ＣＰＵ３が表示データ格納部２の該当領域の番号順に読み出してデータを転送すると、書込制御部１６ｄが、メモリー空間１２ａの書込領域に対し書込先頭アドレス（水平最大，垂直最大）から垂直方向にデクリーメントさせることで垂直方向に順に書き込み、所定のアドレスになったら、水平方向にデクリーメントさせることで列を改め、再び垂直方向に順に書込みしていけばよい。
【００６５】
図８（Ｉ）は表示データ格納部２に格納されているデータを上下ミラー反転させ、かつ左９０度回転させて表示させる場合を示している。ＣＰＵ３が表示データ格納部２の該当領域の番号順に読み出してデータを転送すると、書込制御部１６ｄが、メモリー空間１２ａの書込領域に対し書込先頭アドレス（水平最小，垂直最小）から垂直方向にインクリーメントさせることで垂直方向に順に書き込み、所定のアドレスになったら、水平方向にインクリーメントさせることで列を改め、再び垂直方向に順に書込みしていけばよい。
【００６６】
以上の処理により、表示データ格納部２に格納されている同一のデータを用いても、表示される態様を９０度若しくは１８０度回転、上下若しくは左右にミラー反転の何れか又はこれらの組合せとなるよう、書込先頭アドレス、水平方向及び垂直方向にインクリーメント又はデクリーメントの何れかの設定、進行方向の設定を行うことで、表示イメージに対応させてメモリー空間の書込先に対して書込みを行えばよい。その際、書込先のウインドウ設定や先頭アドレスをシフトさせることで、横長か縦長との相違を解消することができる。
【００６７】
さらに、表示データ格納部２のデータサイズを間引いてメモリー空間１２ａに書き込むこともできる。１／２サイズに間引いてメモリー部１２に格納する場合、水平方向、垂直方向ともに奇数番又は偶数番のデータを、即ち１つおきのデータをメモリー空間１２ａに書き込めばよい。１／４サイズに間引いてメモリー部１２に格納する場合、水平方向、垂直方向ともに３つおきのデータをメモリー空間１２ａに書き込めばよい。
【００６８】
メモリー空間１２ａに書き込まれたデータを表示制御部１６ｃで制御する場合を説明する。表示制御部１６ｃは、メモリー空間１２ａに書き込まれたデータを表示する際、前述の第１実施形態のようにメモリー空間１２ａが表示パネル１１の画素数に対応したメモリーサイズで区分されている場合には、スクロールを有効又は無効にすることで、メモリー空間内の一つの領域内に書き込まれているデータを表示する。第２実施形態のように、メモリー空間内が表示パネル１１の画素数よりも小さい領域に仕切られる場合、即ち、パーシャル画像を格納するよう区分されている場合、メモリー空間内における任意の複数箇所から表示パネル１１の任意の複数箇所に表示することができる。その際、メモリー空間１２ａから読出開始アドレス及び読出終了アドレスと表示パネルの表示位置を示すアドレス（以下、「表示位置アドレス」という。）とを定め、パーシャル画像のライン数の合計が表示パネルの表示ライン数、即ち、ゲート数よりも小さい場合には、表示パネル１１の下端には白又は黒を表示させるようにすることもできる。
【００６９】
具体的に説明すると、表示パネル１１において、第１パーシャル画像を表示する領域（第１パーシャル画像表示領域）と、第２パーシャル画像を表示する領域（第２パーシャル画像表示領域）とを、各領域の先頭のラインを表示位置として定める。メモリー空間１２ａにおいて、第１パーシャル画像表示領域に表示する領域（図４に示すＡ領域）と第２パーシャル画像表示領域に表示する領域（図４に示すＢ領域）とを、各領域の開始ラインアドレスと終了アドレスとで定める。そして、表示制御部１６ｃは、第１パーシャル画像表示領域の表示がＯＮの場合、メモリー空間のＡ領域における開始ラインアドレスと終了アドレスとの間に書き込まれているデータを第１パーシャル画像表示領域に表示させ、第２パーシャル画像表示領域の表示がＯＮの場合、メモリー空間１２ａのＢ領域における開始ラインアドレスと終了アドレスとの間に書き込まれているデータを第２パーシャル画像表示領域に表示させる。各領域の表示、非表示は独立に設定可能である。そして、パーシャル表示ではＡ領域、Ｂ領域ぞれぞれの開始ラインと終了ラインとを逐次変更することで、表示パネル１１への表示を逐次スクロールさせることができる。更には、表示パネル１１の各領域を定める表示位置を逐次変更することで、表示パネルに表示される領域の大きさも変更することができる。
【００７０】
以上、本発明について幾つかの実施形態を説明したが、本発明の趣旨を変更しない範囲で任意に変更することもでき、これらも本発明の範囲に含まれる。例えば、図１に示す制御部１６、コマンド判定部１５をプログラムで実行させても良い。この表示制御プログラムは各種記録媒体に格納されて提供され、表示制御を実現する。
【図面の簡単な説明】
【００７１】
【図１】本発明の実施形態に係る表示システムの概略を示す図である。
【図２】第１の実施形態におけるメモリー空間と表示パネルとの関係を模式的に示す説明図である。
【図３】第１の実施形態に係る表示方法を示すフロー図である。
【図４】第２の実施形態におけるメモリー空間と表示パネルとの関係を模式的に示す説明図である。
【図５】第２の実施形態に係る表示方法を示すフロー図である。
【図６】表示システムが組み込まれたマルチインフォメーションシステムの模式図で、（Ａ）はインストルメントパネルに装着されたマルチインフォメーションを示す図、（Ｂ）及び（Ｃ）は（Ａ）の中央に表示されている表示部を示している。
【図７】図６（Ａ）における表示部がロードマップを示す表示領域とオドメーターとトリップメーターとが二段表記される表示領域とに区分けされ、それに対応するメモリー空間には、表示領域より広いロッドマップに関するデータが格納されている場合を示している。
【図８】表示システムのＣＰＵからメモリー部へのデータ転送の様子を説明するための模式図である。
【符号の説明】
【００７２】
１：表示システム
２：表示データ格納部
３：ＣＰＵ
３Ａ，１０Ａ：入出力制御部
４：フレキシブル基板
５：ネットワーク
１０：表示装置
１１：表示パネル
１１ａ：第１のパーシャル画像表示領域
１１ｂ：第２のパーシャル画像表示領域
１２：メモリー部
１２ａ：メモリー空間（ＧＲＡＭ）
１２α：Ａ領域
１２β：Ｂ領域
１３：ゲートドライバー
１４：ソースドライバー
１５：コマンド判定部
１６：制御部
１６ａ：領域指定部
１６ｂ：切替制御部
１６ｃ：表示制御部
１６ｄ：書込制御部
２０：マルチインフォメーションシステム
２１：速度メータ
２２：回転数メータ
２３：表示部
２３ａ〜２３ｇ、２３α、２３β：表示領域
【図１】
2009092782.tif 000003
【図２】
2009092782.tif 000004
【図３】
2009092782.tif 000005
【図４】
2009092782.tif 000006
【図５】
2009092782.tif 000007
【図６】
2009092782.tif 000008
【図７】
2009092782.tif 000009
【図８】
2009092782.tif 000010